(57)【要約】【課題】建物の構造を容易に理解することができる建物構造表示装置及び建物構造表示用プログラムを提供する。【解決手段】ＣＰＵが、タッチパネルの建物構造画面Ｓｃ1に建物Ｂを表示させる。建物Ｂは、戸境壁Ｗ1を挟んだ仕上げ部屋Ｒ1と躯体部屋Ｒ2とから構成され、仕上げ部屋Ｒ1及び躯体部屋Ｒ2の断面が一部視認できる状態となっている。また、仕上げ部屋Ｒ1が躯体１０に仕上げ２０が施された状態であり、躯体部屋Ｒ2が躯体から構成され、仕上げが施されていない状態である。ＣＰＵは、タッチパネルの操作に応じてタッチパネルに表示された建物Ｂを回転させる。【選択図】図３
2014038371.tif 000002
【特許請求の範囲】
【請求項１】
表示装置に建物の構造を表示する建物構造表示装置であって、
隔壁を挟んだ一方の部屋と他方の部屋とから構成され、前記一方の部屋及び前記他方の部屋の断面が一部視認できる状態となった建物の３次元画像を前記表示装置に表示させる第１表示制御手段と、
操作手段による操作に応じて前記表示装置に表示された前記建物を回転させる第２表示制御手段と、を備え、
前記一方の部屋が躯体に仕上げが施された状態であり、前記他方の部屋が躯体から構成され、仕上げが施されていない状態である
ことを特徴とする建物構造表示装置。
【請求項２】
操作手段による操作に応じて前記建物を拡大又は縮小させる第３表示制御手段をさらに備えた
ことを特徴とする請求項１に記載の建物構造表示装置。
【請求項３】
前記建物の構造についての用語アイコンを表示させ、前記用語アイコンが操作されると当該用語の解説を表示する第４表示制御手段をさらに備え、
前記第２表示制御手段が、前記用語アイコンに対応した回転位置の建物を表示させる
ことを特徴とする請求項１又は２に記載の建物構造表示装置。
【請求項４】
表示装置に建物の構造を表示する建物構造表示装置であって、
隔壁を挟んだ一方の部屋と他方の部屋とから構成され、前記一方の部屋及び前記他方の部屋の断面が一部視認できる状態となった建物の２次元画像を前記表示装置に表示させる第１表示制御手段を備え、
前記一方の部屋が躯体に仕上げが施された状態であり、前記他方の部屋が躯体から構成され、仕上げが施されている状態である
ことを特徴とする建物構造表示装置。
【請求項５】
建物の構造を表示装置に表示させるためのコンピュータを、
隔壁を挟んだ一方の部屋と他方の部屋とから構成され、前記一方の部屋及び前記他方の部屋の断面が一部視認できる状態となった建物の３次元画像を前記表示装置に表示させる第１表示制御手段と、
操作手段による操作に応じて前記表示装置に表示された前記建物を回転させる第２表示制御手段として機能させ、
前記一方の部屋が躯体に仕上げが施された状態であり、前記他方の部屋が躯体のみから構成され、仕上げが施されていない状態である
ことを特徴とする建物構造表示用プログラム。
【発明の詳細な説明】
【技術分野】
【０００１】
本発明は、建物構造表示装置及び建物構造表示用プログラムに関するものである。
【背景技術】
【０００２】
従来から、マンション販売などにおいては、建物の構造をお客様に対して説明するために、建物の一部断面斜視図をパネルで表示したり、建物の一部を現物または模型で展示していた。しかしながら、このようなパネルや現物、模型を用いた説明では、建物の構造をお客様に自由な視点で見せることができなかったり、十分伝えることができず、理解してもらうのが難しい、という問題があった。
【発明の概要】
【発明が解決しようとする課題】
【０００３】
そこで、本発明は、建物の構造を容易に理解することができる建物構造表示装置及び建物構造表示用プログラムを提供することを課題とする。
【課題を解決するための手段】
【０００４】
上述した課題を解決するための請求項１記載の発明は、表示装置に建物の構造を表示する建物構造表示装置であって、隔壁を挟んだ一方の部屋と他方の部屋とから構成され、前記一方の部屋及び前記他方の部屋の断面が一部視認できる状態となった建物の３次元画像を前記表示装置に表示させる第１表示制御手段と、操作手段による操作に応じて前記表示装置に表示された前記建物を回転させる第２表示制御手段と、を備え、前記一方の部屋が躯体に仕上げが施された状態であり、前記他方の部屋が躯体から構成され、仕上げが施されていない状態であることを特徴とする建物構造表示装置に存する。
【０００５】
請求項２記載の発明は、操作手段による操作に応じて前記建物を拡大又は縮小させる第３表示制御手段をさらに備えたことを特徴とする請求項１に記載の建物構造表示装置に存する。
【０００６】
請求項３記載の発明は、前記建物の構造についての用語アイコンを表示させ、前記用語アイコンが操作されると当該用語の解説を表示する第４表示制御手段をさらに備え、前記第２表示制御手段が、前記用語アイコンに対応した回転位置の建物を表示させることを特徴とする請求項１又は２に記載の建物構造表示装置に存する。
【０００７】
請求項４記載の発明は、表示装置に建物の構造を表示する建物構造表示装置であって、隔壁を挟んだ一方の部屋と他方の部屋とから構成され、前記一方の部屋及び前記他方の部屋の断面が一部視認できる状態となった建物の２次元画像を前記表示装置に表示させる第１表示制御手段を備え、前記一方の部屋が躯体に仕上げが施された状態であり、前記他方の部屋が躯体から構成され、仕上げが施されている状態であることを特徴とする建物構造表示装置に存する。
【０００８】
請求項５記載の発明は、建物の構造を表示装置に表示させるためのコンピュータを、隔壁を挟んだ一方の部屋と他方の部屋とから構成され、前記一方の部屋及び前記他方の部屋の断面が一部視認できる状態となった建物の３次元画像を前記表示装置に表示させる第１表示制御手段と、操作手段による操作に応じて前記表示装置に表示された前記建物を回転させる第２表示制御手段として機能させ、前記一方の部屋が躯体に仕上げが施された状態であり、前記他方の部屋が躯体のみから構成され、仕上げが施されていない状態であることを特徴とする建物構造表示用プログラムに存する。
【発明の効果】
【０００９】
以上説明したように請求項１及び５記載の発明によれば、隔壁を挟んだ一方の部屋が躯体に仕上げが施された状態であり、他方の部屋が躯体から構成され、仕上げが施されていない状態であり、さらに一方の部屋及び他方の部屋の断面が一部視認できるようになった建物の３次元画像が操作に応じて回転するので、建物の構造を容易に理解することができる。
【００１０】
請求項２記載の発明によれば、操作に応じて建物を拡大又は縮小させることができるので、より一層容易に建物の構造を理解することができる。
【００１１】
請求項３記載の発明によれば、用語アイコンを操作すると、その用語の解説を表示するとともに用語アイコンに対応した回転位置の建物を表示させるので、より一層容易に建物の構造を理解することができる。
【００１２】
請求項４記載の発明によれば、隔壁を挟んだ一方の部屋が躯体に仕上げが施された状態であり、他方の部屋が躯体から構成され、仕上げが施されていない状態であり、さらに一方の部屋及び他方の部屋の断面が一部視認できる建物の３次元画像が表示されるので、建物の構造を容易に理解することができる。
【図面の簡単な説明】
【００１３】
【図１】本発明の建物構造表示装置の一実施形態を示すブロック図である。
【図２】図１に示すＣＰＵの処理手順を示すフローチャートである。
【図３】図１に示すタッチパネルに表示される表示画面を示す図である。
【図４】図３に示す建物構造画面の他の表示例を示す図である。
【図５】図３に示す建物構造画面の他の表示例を示す図である。
【図６】図３に示す建物構造画面の他の表示例を示す図である。
【発明を実施するための形態】
【００１４】
以下、本発明の建物構造表示装置について図１を参照して説明する。同図に示すように、建物構造表示装置１は、公知であるコンピュータを用いており、予め定めたプログラムに従って装置全体の動作の制御などを行う中央演算処理装置（ＣＰＵ）２を有している。このＣＰＵ２には、バスＢを介してＣＰＵ２のためのプログラムなどを格納した読み出し専用のメモリであるＲＯＭ３と、ＣＰＵ２の処理作業に必要な各種データを格納する作業エリア等を有する読み出し書き込み自在のメモリであるＲＡＭ４と、が接続されている。
【００１５】
ＣＰＵ２には、記憶装置５がバスＢを介して接続されており、この記憶装置５にはハードディスク装置、大容量のメモリなどが用いられる。記憶装置５には、ロック解除体験プログラムが記憶されている。このロック解除体験プログラムは、ＣＤ−ＲＯＭ等からインストールされたり、ネットワークを介してダウンロードされ記憶装置５に記憶される。また、上記ＣＰＵ２には、表示装置、操作手段としての周知のタッチパネル６がバスＢを介して接続されている。
【００１６】
次に、上述したＣＰＵ２が記憶装置５の建物構造表示用プログラムを実行したときの建物構造表示装置１の一例について、図２〜図６を参照して以下に説明する。図２は、図１に示すＣＰＵ２の処理手順を示すフローチャートである。図３は、図１に示すタッチパネル６に表示される表示画面を示す図である。図４〜図６は、図３に示す建物構造画面の他の表示例を示す図である。まず、電源オンなどのトリガに応じてＣＰＵ２は、第１表示制御手段として働き、タッチパネル６に図３に示すような建物構造画面Ｓｃ1と、用語アイコンＩ1〜Ｉ12と、操作アイコンＩ21〜Ｉ23と、解説画面Ｓｃ2と、を表示する（ステップＳ１）。
【００１７】
建物構造画面Ｓｃ1には、戸境壁（隔壁）Ｗ1を挟んだ一方の部屋である仕上げ部屋Ｒ1と、他方の部屋である躯体部屋Ｒ2とから構成され、仕上げ部屋Ｒ1及び躯体部屋Ｒ2の断面が一部視認できる状態となった建物Ｂの３次元画像をタッチパネル６に表示させる。図３〜図６に示すように、この建物構造画面Ｓｃ1に表示される建物Ｂの詳細については後述するが、建物Ｂは３次元画像からなり、「視点を回転」と書かれた操作アイコンＩ21が押されると(ステップＳ２でＹ)、ＣＰＵ２は、第２表示制御手段として働き、タッチパネル６の操作に応じて建物Ｂを回転させた後（ステップＳ３）、ステップＳ１に戻る。ＣＰＵ２は、任意の視点から見た建物Ｂを表示することができる。
【００１８】
一方、「視点をズーム」と書かれた操作アイコンＩ22が押されると（ステップＳ４でＹ）、ＣＰＵ２は、第３表示制御手段として働き、タッチパネル６の操作に応じて建物構造画面Ｓｃ1に表示されている建物Ｂの指定した部分を拡大又は縮小した後（ステップＳ５）、ステップＳ１に戻る。また、「トップビュー」と書かれた操作アイコンＩ23が押されると（ステップＳ６でＹ）、ＣＰＵ２は、建物Ｂの回転位置を初期位置に戻した後（ステップＳ７）、ステップＳ１に戻る。また、用語アイコンＩ1〜Ｉ12が押されると（ステップＳ８でＹ）、ＣＰＵ２は、第４表示制御手段として働き、解説画面Ｓｃ2に押された用語の解説を表示すると共に、押された用語に対応する回転位置の建物Ｂを表示させた後（ステップＳ９）、ステップＳ１に戻る。
【００１９】
次に、建物構造画面Ｓｃ1に表示される建物の詳細について説明する。建物を構成する仕上げ部屋Ｒ1は、図３などに示すように、躯体１０に仕上げ２０が施された状態である。この仕上げ部屋Ｒ1は、住居空間Ｓｐ1と、バルコニーＳｐ2と、から構成されている。また、住居空間Ｓｐ1は、後述する間仕切り壁２３によってリビングダイニング（以下「ＬＤ」と略記）空間Ｓｐ11と、洗面室空間Ｓｐ12とに仕切られている。上記躯体１０とは、建物Ｂの骨組みで、本実施形態において仕上げ部屋Ｒ1の躯体１０は、床スラブ１１と、住居空間Ｓｐ1及びバルコニーＳｐ2を仕切る外壁１２と、バルコニーＳｐ2及び外部を仕切る外壁１３と、断熱材１４と、から構成されている。
【００２０】
上記床スラブ１１は、洗面室空間Ｓｐ12の床部分を構成するＲＣ構造からなる水回り用床スラブ部１１ａと、ＬＤ空間Ｓｐ11の床部分を構成する中空ボイドスラブから構成された居室用床スラブ部１１ｂと、バルコニーＳｐ2の床部分を構成するＲＣ構造の片持ち床スラブ部１１ｃと、から構成されている。
【００２１】
上記外壁１２には、中央に窓Ｗ2用の開口が設けられ、当該開口に窓Ｗ2が嵌め込まれている。また、外壁１２の上端部には、外部に突出すると共に当該外壁１２の上端部に沿って延在するＲＣ構造の梁１２ａが設けられている。外壁１３は、片持ち床スラブ部１１ｃの外側の端部から上方に向かって突出して設けられる。断熱材１４は、外壁１２の内側に取り付けられ、例えばウレタンボードから構成されている。
【００２２】
また、上記仕上げ２０は、上述した骨組みとなる躯体１０上に施した設備などで、本実施形態において仕上げ部屋Ｒ1の仕上げ２０は、クロス２１と、仕上げボード２２ａ及びクロス２２ｂと、間仕切り壁２３と、流し２４ａ及び収納２４ｂと、二重床２５と、天井ボード２６と、配管２７と、換気ダクト２８と、手すり２９と、から構成されている。クロス２１は、戸境壁Ｗ1に貼られている。仕上げボード２２ａ及びクロス２２ｂは、外壁１２の内側に設けられている。間仕切り壁２３は、上述したように洗面室空間Ｓｐ12及びＬＤ空間Ｓｐ11を仕切る壁であり、下地材とボードから構成されている。流し２４ａ及び収納２４ｂは、この間仕切り壁２３を背面に設置されている。
【００２３】
二重床２５は、洗面室空間Ｓｐ12に設けた水回り用床スラブ部１１ａ上に配置された二重床部２５ａと、ＬＤ空間Ｓｐ1に設けた居室用床スラブ部１１ｂ上に配置され、フローリングから構成された二重床部２５ｂと、から構成されている。天井ボード２６は、洗面室空間Ｓｐ12に設けた水回り用床スラブ部１１ａの下部に設けた天井ボード部２６ａと、ＬＤ空間Ｓｐ11に設けた居室用床スラブ部１１ｂの下部に設けた天井ボード部２６ｂとから構成されている。水回り用床スラブ部１１ａと天井ボード部２６ａとの距離は、居室用床スラブ部１１ｂと天井ボード部２６ｂとの距離よりも大きい。
【００２４】
配管２７は、水回り用床スラブ部１１ａと天井ボード部２６ａとの間に収容されている配管２７ａと、間仕切り壁２３に隠された個別用配管２７ｂ及び共用配管２７ｃと、から構成されている。換気ダクト２８も、水回り用床スラブ部１１ａと天井ボード部２６ａとの間に収容されている。手すり２９は、外壁１３に取り付けられている。仕上げ部屋Ｒ1は、一般的なマンションの下地工事から内装仕上げ工事（断熱、設備工事を含む）までを忠実に再現している。
【００２５】
次に、躯体部屋Ｒ2について説明する。躯体部屋Ｒ2は、躯体３０のみから構成されている。躯体部屋Ｒ2は、図６などに示すように、仕上げ部屋Ｒ1と同様に、住居空間Ｓｐ3と、バルコニーＳｐ4と、から構成されている。本実施形態において躯体部屋Ｒ2の躯体３０は、床スラブ３１と、住居空間Ｓｐ3及びバルコニーＳｐ4を仕切る外壁３２と、バルコニーＳｐ4及び外部を仕切る外壁３３と、断熱材３４と、から構成されている。床スラブ３１は、住居空間Ｓｐ3の床部分を構成する中空ボイドスラブから構成された床スラブ部３１ａと、バルコニーＳｐ4の床部分を構成するＲＣ構造の片持ち床スラブ部３１ｂと、から構成されている。
【００２６】
上記外壁３２には、中央に窓Ｗ3用の開口が設けられ、当該開口に窓Ｗ3が嵌め込まれている。また、外壁３２の上端部には、外部に突出すると共に当該外壁３２の上端部に沿って延在するＲＣ構造の梁３２ａが設けられている。外壁３３は、片持ち床スラブ部３１ａの端部から上方に向かって突出して設けられる。断熱材３４は、外壁３２に取り付けられ、例えばウレタンボードから構成されている。また、仕上げ部屋Ｒ1の外壁１２と躯体部屋Ｒ2の外壁３２との間にはＲＣ構造の柱４０が設けられている。柱４０は、戸境壁Ｗ1の端面に沿って設けられている。
【００２７】
即ち、躯体部屋Ｒ2は、床スラブ３１、外壁３２、３３及び断熱材３４から成る躯体３０のみから構成され、これらにクロスや仕上げボード、間仕切り壁、流し、収納、二重床、天井ボード、配管、換気ダクト、手すりなど仕上げを施していない状態である。
【００２８】
また、上記仕上げ部屋Ｒ1及び躯体部屋Ｒ2は、図６などに示すように、その上部が床スラブ１１、３１と平行な面に沿って切り欠かれていて、戸境壁Ｗ1、柱４０、間仕切り壁２３の上部断面が視認できる。また、仕上げ部屋Ｒ1は、図３などに示すように、戸境壁Ｗ1に平行な面に沿って切り欠かれていて、床スラブ１１、外壁１２、１３、断熱材１４、仕上げボード２２ａ及びクロス２２ｂ、二重床２５、天井ボード２６、換気ダクト２８、手すり２９などの側部断面が視認できる。さらに、仕上げ部屋Ｒ1は、戸境壁Ｗ1に垂直な面に沿って洗面室空間Ｓｐ12が切り欠かれていて、戸境壁Ｗ1、水回り用床スラブ部１１ａ、二重床部２５ａ、天井ボード部２６ａ、配管２７ａ、換気ダクト２８の側部断面が視認できる。
【００２９】
躯体部屋Ｒ2も、図６などに示すように、戸境壁Ｗ1と平行な面に沿って切り欠かれていて、床スラブ３１、外壁３２、３３、断熱材３４の側部断面が視認できる。また、躯体部屋Ｒ2は、戸境壁Ｗ1に垂直な面に沿ってバルコニーＳｐ4から離れた側が切り欠かれていて、戸境壁Ｗ1、床スラブ部３１ａの側部断面が視認できる。
【００３０】
上述した実施形態によれば、戸境壁Ｗ1を挟んだ仕上げ部屋Ｒ1が躯体１０に仕上げ２０が施された状態であり、躯体部屋Ｒ2が躯体３０のみから構成され、仕上げが施されていない状態であり、さらに仕上げ部屋Ｒ1及び躯体部屋Ｒ2の断面が一部視認できるようになった建物Ｂが操作に応じて３６０度回転するので、建物Ｂの構造を容易に理解することができる。
【００３１】
また、上述した実施形態によれば、操作に応じて建物Ｂを拡大又は縮小させることができるので、より一層容易に建物Ｂの構造を理解することができる。
【００３２】
また、上述した実施形態によれば、用語アイコンＩ1〜Ｉ12を押すと、その用語の解説を表示するとともに用語アイコンＩ1〜Ｉ12に対応した回転位置の建物を表示させるので、より一層容易に建物Ｂの構造を理解することができる。
【００３３】
なお、上述した実施形態によれば、戸境壁Ｗ1を挟んだ仕上げ部屋Ｒ1及び躯体部屋Ｒ2が住居空間Ｓｐ1、Ｓｐ3とバルコニーＳｐ2、Ｓｐ4と、からそれぞれ構成されているが、これは一例に過ぎず、本発明はこれに限ったものではない。例えば、部屋Ｒ1、Ｒ2としては、住居空間のみから構成されていてもよく、紹介したい建物と同じ構造にすればよい。
【００３４】
また、上述した実施形態では、ＬＤ空間Ｓｐ11の居室用床スラブ部１１ｂや住居空間Ｓｐ3の床スラブ部３１ａが中空ボイドスラブから構成されていたが、本発明はこれに限ったものではなく、紹介したい建物に実際に設けられる他の空間の構造形式にすることが考えられる。
【００３５】
また、上述した実施形態は、戸境壁Ｗ1、柱４０、梁１２ａ、３２ａの素材や位置を限定するものではなく、紹介した建物に実際に設けられる他の素材、位置にすることが考えられる。
【００３６】
また、上述した実施形態によれば、タッチパネル６の操作に応じて建物Ｂを回転させたり、拡大又は縮小させていたが、本発明はこれに限ったものではない。建物Ｂを表示するだけで、回転させたり、拡大、縮小させなくてもよい。
【００３７】
また、上述した実施形態では、図３に示すように、用語アイコンＩ1〜Ｉ12として、「フラットフロアー」、「複層ガラス」、「次世代省エネ」、「戸境壁」、「外壁」、「ダブル配筋」、「かぶり厚さ」、「溶接閉鎖型フープ筋」、「壁内蔵梁工法＋ボイドスラブ工法」、「２重床・２重天井」、「アウトポール工法」、「強度の高いコンクリート」を例示したが、本発明はこれに限定されるものではない。その建物の構造について説明したい他の用語であってもよい。
【００３８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
１  建物構造表示装置
２  ＣＰＵ（第１表示制御手段、第２表示制御手段、第３表示制御手段、第４表示制御手段、コンピュータ）
６  タッチパネル（表示装置、操作手段）
１０  躯体
２０  仕上げ
３０  躯体
Ｂ  建物
Ｉ1〜Ｉ12  用語アイコン
Ｒ1  仕上げ部屋（一方の部屋）
Ｒ2  躯体部屋（他方の部屋）
Ｗ1  戸境壁（隔壁）
【図１】
2014038371.tif 000003
【図２】
2014038371.tif 000004
【図３】
2014038371.tif 000005
【図４】
2014038371.tif 000006
【図５】
2014038371.tif 000007
【図６】
2014038371.tif 000008